(57)【要約】【課題】冷却部や水溜めを設けることなく、流路内で凝縮した水滴を除去する。【解決手段】気体及び水滴が搬送される流路が中央に設けられ、この流路を通過する水滴を吸水し保持する吸水材１４と、吸水材１４の外周部に設けられ、吸水材１４により保持された液体の水を透過せずに水蒸気を外部へ透過させる気液分離膜１５と、を備える水滴除去装置１０である。流路を通過する水滴を吸水材１４により吸水し保持し、吸水材１４の外周部に設けられた気液分離膜１５により吸水材１４に保持された液体の水が漏れ出すのを防ぎながら水蒸気として外部へ放出させるので、冷却部や水溜めを設けることなく、流路内で凝縮した水滴を除去することができる。【選択図】図３
2008059848.tif 000002
【特許請求の範囲】
【請求項１】
水蒸気を含む気体及が通過する流路と、
前記流路を通過する前記気体中の水蒸気が凝縮した水滴を吸水し保持する吸水材と、
前記吸水材の外周部に設けられ、前記吸水材により保持された液体の水を透過せず、該保持された水が蒸発した水蒸気を外部へ透過させる気液分離膜と、を備えることを特徴とする水滴除去装置。
【請求項２】
前記吸水材の流路内に、前記気体を通過させるとともに前記水滴を捕捉し、前記吸水材へ浸透させる芯材を備えることを特徴とする請求項１に記載の水滴除去装置。
【請求項３】
前記吸水材は不織布からなることを特徴とする請求項１に記載の水滴除去装置。
【請求項４】
前記吸水材は、前記流路における前記気体の通過方向に沿った柱状の形状を有し、前記流路は前記吸水材の中心寄りに設けられ、前記気液分離膜は、前記吸水材の前記気体の通過方向に沿った外周面を覆う筒状の形状を有することを特徴とする請求項１に記載の水滴除去装置。
【請求項５】
燃料ガスの電気化学反応により電力を取り出す発電セルと、
前記発電セルから排出される未反応の燃料ガスを燃焼させる燃焼器と、
前記発電セルから前記燃焼器へ前記未反応の燃料ガスを搬送する流路と、を備え、
前記未反応の燃料ガスは少なくとも水蒸気を含み、
前記流路には水滴除去装置が設けられ、
前記水滴除去装置は、
前記未反応の燃料ガスが通過する流路と、
前記流路を通過する前記未反応の燃料ガス中の水蒸気が凝縮した水滴を吸水し保持する吸水材と、
前記吸水材の外周部に設けられ、前記吸水材により保持された液体の水を透過せず、該保持された水が蒸発した水蒸気を外部へ透過させる気液分離膜と、からなることを特徴とする燃料電池システム。
【請求項６】
前記吸水材の流路内に、前記未反応の燃料ガスを通過させるとともに前記水滴を捕捉し、前記吸水材へ浸透させる芯材を備えることを特徴とする請求項５に記載の燃料電池システム。
【請求項７】
前記吸水材は、前記流路における前記未反応の燃料ガスの通過方向に沿った柱状の形状を有し、前記流路は前記吸水材の中心寄りに設けられ、前記気液分離膜は、前記吸水材の前記未反応の燃料ガスの通過方向に沿った外周面を覆う筒状の形状を有することを特徴とする請求項５に記載の燃料電池システム。
【請求項８】
燃料ガスの電気化学反応により電力を取り出す発電セルと、
前記発電セルから排出される未反応の燃料ガスを燃焼させる燃焼器と、
前記発電セルから前記燃焼器へ前記未反応の燃料ガスを搬送する流路と、を備える電子機器において、
前記未反応の燃料ガスは少なくとも水蒸気を含み、
前記流路には水滴除去装置が設けられ、
前記水滴除去装置は、
前記未反応の燃料ガスが通過する流路と、
前記流路を通過する前記未反応の燃料ガス中の水蒸気が凝縮した水滴を吸水し保持する吸水材と、
前記吸水材の外周部に設けられ、前記吸水材により保持された液体の水を透過せず、該保持された水が蒸発した水蒸気を外部へ透過させる気液分離膜と、からなることを特徴とする電子機器。
【請求項９】
前記吸水材の流路内に、前記未反応の燃料ガスを通過させるとともに前記水滴を捕捉し、前記吸水材へ浸透させる芯材を備えることを特徴とする請求項８に記載の電子機器。
【請求項１０】
前記水滴除去装置は、前記気液分離膜を透過した水蒸気を、当該電子機器の外部へ放出するように設けられることを特徴とする請求項８に記載の電子機器。
【請求項１１】
前記吸水材は、前記流路における前記未反応の燃料ガスの通過方向に沿った柱状の形状を有し、前記流路は前記吸水材の中心寄りに設けられ、前記気液分離膜は、前記吸水材の前記未反応の燃料ガスの通過方向に沿った外周面を覆う筒状の形状を有することを特徴とする請求項８に記載の電子機器。
【発明の詳細な説明】
【技術分野】
【０００１】
本発明は、気体及び水滴が搬送される流路から水滴を除去する水滴除去装置、水滴除去装置を用いた燃料電池システム及び電子機器に関する。
【背景技術】
【０００２】
燃料電池は燃料の電気化学反応により電力を取り出すものであり、燃料電池の研究・開発が広く行われている。燃料電池に用いる燃料は水素ガスであり、メタノール等の原燃料を改質器で改質することでその水素ガスを生成している（特許文献１、特許文献２参照。）。また、エネルギーの利用効率を高めるために、発電セル（燃料電池本体）から排出される未反応の水素ガスを含む排ガス（オフガス）をバーナー等の燃焼器で燃焼させ、その燃焼熱によって改質器を加熱することが行われている（特許文献１、特許文献２参照）。
【０００３】
ところで、オフガスには水蒸気や水滴が含まれている。この水滴や流路内で水蒸気が凝縮した水滴が燃焼器に入ると燃焼器の温度が急激に変動する。また、燃焼器内に入った水滴が蒸発すると水蒸気により燃焼器内の圧力が急激に変動する。これを避けるため、燃焼器の手前にオフガスを冷却する冷却部を設け、それにより凝縮した水を溜める水溜めを冷却部の下方に設けることが行われている（特許文献１、特許文献２参照）。
【特許文献１】特開２００５−５０７９８号公報
【特許文献２】特開２００１−２２９９５２号公報
【発明の開示】
【発明が解決しようとする課題】
【０００４】
しかし、携帯機器に搭載する燃料電池システムでは、小型であるため、燃焼器の手前に冷却部や水溜めを設けることができない。また、携帯機器では使用時の機器の向きが一定しないため、冷却部に対する水溜めの位置が定まらず、実用化できないという問題があった。
【０００５】
本発明の課題は、冷却部や水溜めを設けることなく、流路内で凝縮した水滴を除去することである。
【課題を解決するための手段】
【０００６】
以上の課題を解決するため、請求項１に記載の発明は、水蒸気を含む気体及が通過する流路と、前記流路を通過する前記気体中の水蒸気が凝縮した水滴を吸水し保持する吸水材と、前記吸水材の外周部に設けられ、前記吸水材により保持された液体の水を透過せず、該保持された水が蒸発した水蒸気を外部へ透過させる気液分離膜と、を備えることを特徴とする水滴除去装置である。
【０００７】
請求項２に記載の発明は、請求項１に記載の水滴除去装置において、前記吸水材の流路内に、前記気体を通過させるとともに前記水滴を捕捉し、前記吸水材へ浸透させる芯材を備えることを特徴とする。
【０００８】
請求項３に記載の発明は、請求項１に記載の水滴除去装置において、前記吸水材は不織布からなることを特徴とする。
【０００９】
請求項４に記載の発明は、請求項１に記載の水滴除去装置において、前記吸水材は、前記流路における前記気体の通過方向に沿った柱状の形状を有し、前記流路は前記吸水材の中心寄りに設けられ、前記気液分離膜は、前記吸水材の前記気体の通過方向に沿った外周面を覆う筒状の形状を有することを特徴とする。
【００１０】
請求項５に記載の発明は、燃料ガスの電気化学反応により電力を取り出す発電セルと、前記発電セルから排出される未反応の燃料ガスを燃焼させる燃焼器と、前記発電セルから前記燃焼器へ前記未反応の燃料ガスを搬送する流路と、を備え、前記未反応の燃料ガスは少なくとも水蒸気を含み、前記流路には水滴除去装置が設けられ、前記水滴除去装置は、前記未反応の燃料ガスが通過する流路と、前記流路を通過する前記未反応の燃料ガス中の水蒸気が凝縮した水滴を吸水し保持する吸水材と、前記吸水材の外周部に設けられ、前記吸水材により保持された液体の水を透過せず、該保持された水が蒸発した水蒸気を外部へ透過させる気液分離膜と、からなることを特徴とする燃料電池システムである。
【００１１】
請求項６に記載の発明は、請求項５に記載の燃料電池システムにおいて、前記吸水材の流路内に、前記未反応の燃料ガスを通過させるとともに前記水滴を捕捉し、前記吸水材へ浸透させる芯材を備えることを特徴とする。
【００１２】
請求項７に記載の発明は、請求項５に記載の燃料電池システムにおいて、前記吸水材は、前記流路における前記未反応の燃料ガスの通過方向に沿った柱状の形状を有し、前記流路は前記吸水材の中心寄りに設けられ、前記気液分離膜は、前記吸水材の前記未反応の燃料ガスの通過方向に沿った外周面を覆う筒状の形状を有することを特徴とする。
【００１３】
請求項８に記載の発明は、燃料ガスの電気化学反応により電力を取り出す発電セルと、前記発電セルから排出される未反応の燃料ガスを燃焼させる燃焼器と、前記発電セルから前記燃焼器へ前記未反応の燃料ガスを搬送する流路と、を備える電子機器において、前記未反応の燃料ガスは少なくとも水蒸気を含み、前記流路には水滴除去装置が設けられ、前記水滴除去装置は、前記未反応の燃料ガスが通過する流路と、前記流路を通過する前記未反応の燃料ガス中の水蒸気が凝縮した水滴を吸水し保持する吸水材と、前記吸水材の外周部に設けられ、前記吸水材により保持された液体の水を透過せず、該保持された水が蒸発した水蒸気を外部へ透過させる気液分離膜と、からなることを特徴とする電子機器である。
【００１４】
請求項９に記載の発明は、請求項８に記載の電子機器において、前記吸水材の流路内に、前記未反応の燃料ガスを通過させるとともに前記水滴を捕捉し、前記吸水材へ浸透させる芯材を備えることを特徴とする。
【００１５】
請求項１０に記載の発明は、請求項８に記載の電子機器において、前記水滴除去装置は、前記気液分離膜を透過した水蒸気を、当該電子機器の外部へ放出するように設けられることを特徴とする。
【００１６】
請求項１１に記載の発明は、請求項８に記載の電子機器において、前記吸水材は、前記流路における前記未反応の燃料ガスの通過方向に沿った柱状の形状を有し、前記流路は前記吸水材の中心寄りに設けられ、前記気液分離膜は、前記吸水材の前記未反応の燃料ガスの通過方向に沿った外周面を覆う筒状の形状を有することを特徴とする。
【発明の効果】
【００１７】
本発明によれば、流路を通過する気体に含まれる水蒸気が凝縮した水滴を吸水材により吸水し保持し、吸水材の外周部に設けられた気液分離膜により吸水材に保持された液体の水が漏れ出すのを防ぎながら、保持された水が蒸発した水蒸気を外部へ放出させるので、冷却部や水溜めを設けることなく、流路内で凝縮した水滴を除去することができる。
【発明を実施するための最良の形態】
【００１８】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１９】
図１は、本発明に係わる実施形態における燃料電池システム１のブロック図であり、図２は燃料電池システム１を搭載した携帯用の電子機器１００を示す模式図である。この燃料電池システム１は、例えばノート型パーソナルコンピュータ、ＰＤＡ、電子手帳、デジタルカメラ、携帯電話機、腕時計、レジスタ及びプロジェクタ等といった携帯型の電子機器１００に搭載されるものである。この燃料電池システム１は、燃料容器２、電子機器１００の本体に内蔵されたポンプ３、断熱パッケージ２０、発電セル（燃料電池本体）８、液滴トラップ１０（水滴除去装置）等を備える。
【００２０】
燃料容器２は例えば電子機器１００の本体に対して着脱可能に構成され、燃料容器２が電子機器１００の本体に装着されると燃料容器２とポンプ３が接続される。燃料容器２には液体の原燃料（例えば、メタノール、エタノール、ジメチルエーテル）と水が混合した状態又は別々に貯留されている。
【００２１】
ポンプ３は、燃料容器２内の原燃料と水を吸引して、原燃料と水の混合液を気化器４に送液するものである。
【００２２】
箱状の断熱パッケージ２０内には気化器４、改質器５、一酸化炭素除去器６及び触媒燃焼器９が収容されている。断熱パッケージ２０内の気圧は大気圧より低い気圧とされ、例えば、１０Ｐａ以下の真空圧に保たれている。
気化器４には電熱材からなる電気ヒータ兼温度センサ４ａが設けられている。電気ヒータ兼温度センサ４ａは、電気抵抗値が温度に依存するものであり、温度センサとしても機能する。ポンプ３から気化器４に送られた混合液は電気ヒータ兼温度センサ４ａの熱や触媒燃焼器９の熱により気化される。気化器４で気化した混合気は改質器５へ送られる。
【００２３】
改質器５には、電気抵抗値が温度に依存する電熱材からなる電気ヒータ兼温度センサ５ａが設けられている。改質器５の内部には流路が形成され、その流路の壁面に触媒が担持されている。気化器４から改質器５に送られる混合気は、改質器５の流路を流れ、電気ヒータ兼温度センサ５ａや触媒燃焼器９により加熱されて、触媒により反応を起こす。原燃料と水の触媒反応によって燃料としての水素、二酸化炭素（及び、後述の副生成物である微量な一酸化炭素等）が生成される。なお、原燃料がメタノールの場合、改質器５では主に次式（１）に示すような反応が起こる。
ＣＨ3ＯＨ＋Ｈ2Ｏ→３Ｈ2＋ＣＯ2  …（１）
【００２４】
一酸化炭素は化学反応式（１）についで逐次的に起こる次式（２）のような式によって微量に副生される。
Ｈ2＋ＣＯ2→Ｈ2Ｏ＋ＣＯ  …（２）
一酸化炭素除去器６には、電気抵抗値が温度に依存する電熱材からなる電気ヒータ兼温度センサ６ａが設けられている。一酸化炭素除去器６の内部には流路が形成され、その流路の壁面に触媒が担持されている。改質器５で生成された改質ガス（燃料ガス）は一酸化炭素除去器６へ送られる。更に、外部の空気が一酸化炭素除去器６へ送られる。改質器５から一酸化炭素除去器６に送られた改質ガスが空気と混合して一酸化炭素除去器６の流路を流れ、電気ヒータ兼温度センサ６ａや触媒燃焼器９により加熱される。そして、改質ガスのうち一酸化炭素が触媒により次式（３）のように優先的に酸化される。これにより二酸化炭素が生成され、改質ガスから一酸化炭素が除去される。例えば、改質ガス中の一酸化炭素の濃度が１０ｐｐｍ以下になる。
２ＣＯ＋Ｏ2→２ＣＯ2  …（３）
【００２５】
気化器４、改質器５及び一酸化炭素除去器６には電気ヒータ兼温度センサ４ａ，５ａ，６ａが設けられている。電気ヒータ兼温度センサ４ａ，５ａ，６ａの電気抵抗値は温度に依存するので、この電気ヒータ兼温度センサ４ａ，５ａ，６ａが触媒燃焼器９の温度を測定する温度センサとしても機能する。
【００２６】
発電セル８は、電解質膜の両面に燃料極、酸素極を接合してなる膜電極接合体８４と、燃料極に接合してその接合面に流路を形成した燃料極セパレータ８５と、酸素極に接合してその接合面に流路を形成した酸素極セパレータ８６とを備える。
【００２７】
一酸化炭素除去器６から排出された改質ガス（アノードガス）は発電セル８の燃料極セパレータ８５の流路に送られる。もう一方の酸素極セパレータ８６の流路には空気が送られる。そして、燃料極に供給された改質ガス中の水素が、酸素極を介して、酸素極に供給された空気（カソードガス）中の酸素と電気化学反応することによって、燃料極と酸素極との間で電力が生じる。なお、電解質膜が水素イオン透過性の電解質膜（例えば、固体高分子電解質膜）の場合には、燃料極では次式（４）のような反応が起き、燃料極で生成された水素イオンが電解質膜を透過し、酸素極では次式（５）のような反応が起こる。
Ｈ2→２Ｈ+＋２ｅ-  …（４）
２Ｈ+＋１／２Ｏ2＋２ｅ-→Ｈ2Ｏ  …（５）
【００２８】
燃料極と酸素極は、負荷７に接続され、発電セル８で取り出された電力により負荷７が動作する。負荷７としては、例えば、モータ、ＤＣ−ＤＣコンバータ、二次電池等が挙げられる。
【００２９】
燃料極セパレータ８５の流路を通過した改質ガス（オフガス）には、未反応の水素も含まれている。オフガスは、液滴トラップ１０に通された後、触媒燃焼器９に供給される。
【００３０】
触媒燃焼器９には、液滴トラップ１０を通過したオフガスとともに、外部の空気が供給される。触媒燃焼器９の内部には流路が形成され、その流路の壁面に触媒が担持されている。
触媒燃焼器９は、改質器５の背面側に設置され、触媒燃焼器９で得られる反応熱によって改質器内の流路を加熱するようになっている。また、電熱材からなる電気ヒータ９ａが設けられている。
【００３１】
オフガスと空気の混合気体（燃焼ガス）は触媒燃焼器９の流路を流れ、電気ヒータ９ａにより加熱される。触媒燃焼器９の流路を流れている燃焼ガスのうち水素が触媒により燃焼され、これにより燃焼熱が発生する。燃焼後の排ガスは触媒燃焼器９から断熱パッケージ２０の外部に放出される。
【００３２】
この触媒燃焼器９で発生した燃焼熱は改質器５における改質反応の他に、気化器４における気化、一酸化炭素除去器６における選択酸化反応にも用いられる。また、断熱パッケージ２０内では、気化器４、改質器５、一酸化炭素除去器６及び触媒燃焼器９が例えば熱伝導材２１に接するように搭載され、触媒燃焼器９の燃焼熱が熱伝導材２１によって気化器４、改質器５、一酸化炭素除去器６に伝導される。熱伝導材２１は断熱パッケージ２０の内壁から離間するように配置されている。
【００３３】
図２は、本実施形態における燃料電池システム１を搭載した携帯用の電子機器１００の一例を示す模式図である。本実施形態における液滴トラップ１０は、後述するように水蒸気を外部へ放出する構成を有しているため、液滴トラップ１０から放出された水蒸気を電子機器１００の外部へ放出することが容易となるように構成することが好ましい。このために、例えば図２に示すように、電子機器１００の筐体３０に開口部３１を設け、この開口部３１の近傍に液滴トラップ１０を配置する。なお、図２においては、便宜上、断熱パッケージ内２０の一酸化炭素除去器６や触媒燃焼器９へ空気を供給する流路、触媒燃焼器９から排ガスを排出する流路、発電セル８に空気を供給する流路、酸素極８６にカソードガスを供給する流路及びカソードガスを排出する流路は省略している。
【００３４】
ここで、液滴トラップ１０についてさらに詳細に説明する。
図３は、本実施形態における液滴トラップ１０を示す断面図である。液滴トラップ１０は、配管継手１１，１２と、芯材１３と、吸水材１４と、気液分離膜１５とからなる。
【００３５】
配管継手１１，１２は液滴トラップ１０の両端に設けられており、一方の配管継手１１は燃料極セパレータ８５の流路へ通じる配管に接続され、他方の配管継手１２は触媒燃焼器９へ通じる配管に接続される。
配管継手１１，１２の中央にはオフガスの流路となる貫通孔１１ａ，１２ａが設けられている。また、配管継手１１，１２の対向面には、気液分離膜１５を保持する保持部１１ｂ，１２ｂが設けられている。
【００３６】
配管継手１１，１２の間には、貫通孔１１ａ，１２ａと同軸に芯材１３が配置される。芯材１３は、円柱状の繊維束芯であり、気孔率が高く、ガス透過性が高いものを用いることができる。芯材１３は貫通孔１１ａから供給されるオフガスを貫通孔１２ａまで通過させる流路となる。また、芯材１３はオフガス中の水蒸気が凝縮した水滴やオフガスとともに搬送される水滴を捕捉し吸水材１４へ浸透させる。なお、吸水材１４が水滴を吸収することにより膨潤するが、芯材１３によりオフガスの流路が確保されるため、膨潤した吸水材１４によりオフガスの流路が遮断されることがない。
【００３７】
芯材１３としては、例えばアクリル繊維からなる繊維束を用いることができる。また、ＰＥＴやレーヨン等の繊維をポリウレタン等の樹脂で固めて形成してもよい。あるいは、アルミナやシリカ等の多孔質焼結材等を芯材１３として用いてもよい。
【００３８】
吸水材１４は、芯材１３から誘導された水滴を急速に吸水し、保持する。吸水材１４としては、例えばアクリル繊維を吸水加工した不織布を芯材１３に巻きつけて用いることができる。
【００３９】
気液分離膜１５は、吸水材１４の外周を覆うように例えば筒状に設けられ、両端を保持部１１ｂ，１２ｂにより保持されている。気液分離膜１５は吸水材１４に保持された水が外部に漏れ出すのを防ぐとともに、吸水材１４に保持された水が蒸発した水蒸気を透過させて外部へ放出する。また、気液分離膜１５はオフガスに含まれる水素を透過しないようにされる。気液分離膜１５としては、例えば、ポリイミド系や、ポリエチレン、ポリプロピレン等のポリオレフィン重合体の中空糸膜を用いることができる。
【００４０】
次に、燃料電池システム１の動作について説明する。
電気ヒータ兼温度センサ４ａ、電気ヒータ兼温度センサ５ａ、電気ヒータ兼温度センサ６ａ、及び電気ヒータ９ａに電力が供給されて、電気ヒータ兼温度センサ４ａ、電気ヒータ兼温度センサ５ａ、電気ヒータ兼温度センサ６ａ、及び電気ヒータ９ａが発熱した状態で、ポンプ３が作動する。ポンプ３によって原燃料と水が送液され、気化器４から改質器５、一酸化炭素除去器６、発電セル８の燃料極（燃料極セパレータ８５）を経由して触媒燃焼器９への流れが生じる。気化器４においては原燃料と水が気化し、改質器５では気化された原燃料と水から改質ガスが生成され、一酸化炭素除去器６では改質ガス中の一酸化炭素が除去され、発電セル８では改質ガス中の水素の電気化学反応により電力が取り出され、触媒燃焼器９ではオフガス中の発電に使われずに残った水素が燃焼される。
【００４１】
ここで、液滴トラップ１０により捕捉された水滴が除去される様子について説明する。図４（ａ）、（ｂ）は、ともに本実施形態における液滴トラップ内で捕捉された水滴が除去される様子を示す断面図である。まず、図４（ａ）に示すように、オフガスが配管継手１１から貫通孔１１ａを通って芯材１３に到達する。芯材１３では、オフガス中の水蒸気が凝縮した水滴やオフガスとともに搬送される水滴が捕捉される。捕捉された水は吸水材１４へ浸透する。
【００４２】
吸水材１４へ浸透した水が気液分離膜１５まで到達すると、水の一部が気化し水蒸気として気液分離膜１５を透過し、外部へ放出される。
芯材１３で捕捉される水滴の量が気液分離膜１５を透過する水蒸気量よりも多い場合、芯材１３で捕捉される水滴は、図４（ｂ）に示すように、より流路方向側（配管継手１２側）の吸水材１４に浸透する。その結果、吸水材１４の水を保持した部分（吸水エリア１４ａ）が流路方向側（配管継手１２側）に拡大する。すると、吸水エリア１４ａと気液分離膜１５との接触面積が増大するため、気液分離膜１５を透過する水蒸気量が増大する。
【００４３】
吸水エリア１４ａは気液分離膜１５を透過する水蒸気量が芯材１３で捕捉される水滴の量と同量になるまで拡大する。この状態でオフガスとともに搬送される水滴を定常的に排出することができる。
なお、吸水材１４の配管継手１２側に水を保持していない領域（乾燥エリア１４ｂ）が残るように、液滴トラップ１０は充分な長さをとることが好ましい。乾燥エリア１４ｂを残しておくことで、大きな水滴が断続的に流路を流れてくる場合にも、乾燥エリア１４ｂで大きな水滴を吸水することができる。
【００４４】
このように、本実施形態によれば、オフガスとともに搬送される水滴を芯材１３で捕捉し、吸水材１４で保持し、水蒸気として気液分離膜１５を透過させて放出するので、触媒燃焼器９の手前に大きな冷却部や水溜めを設けることなく、流路内で凝縮した水滴を除去することができる。また、オフガスとともに搬送される水滴を吸水材１４で保持するため、重力方向の影響を受けず、携帯用の電子機器に適用することができる。
【００４５】
なお、本発明は上記実施形態に限定されることなく、本発明の主旨を逸脱しない範囲において種々の改良及び設計の変更を行っても良い。例えば、上記実施形態においては、芯材１３を設けたが、膨潤する吸水材１４によりオフガスの流路が遮断されることがなければ、芯材１３を必ずしも設けなくてもよい。
また、上記実施形態においては、気液分離膜１５を筒状としたが、水蒸気の透過面積を確保するために、例えば蛇腹形状としてもよい。
【図面の簡単な説明】
【００４６】
【図１】本発明に係わる実施形態における燃料電池システムのブロック図である。
【図２】本実施形態における燃料電池システムを搭載した携帯用の電子機器の一例を示す模式図である。
【図３】本実施形態における液滴トラップを示す断面図である。
【図４】（ａ）、（ｂ）ともに本実施形態における液滴トラップ内で捕捉された水滴が除去される様子を示す断面図である。
【符号の説明】
【００４７】
１  燃料電池システム
１０  液滴トラップ（水滴除去装置）
１３  芯材
１４  吸水材
１５  気液分離膜
１００  電子機器
【図１】
2008059848.tif 000003
【図２】
2008059848.tif 000004
【図３】
2008059848.tif 000005
【図４】
2008059848.tif 000006